(57)【要約】【課題】サイフォン排水システムにおけるサイフォン開始時間を早めるための配管システムであって、正圧の際のエアを逃出し、負圧時のエアは逃がさない機能を付加したことにより横引き配管内に早期の排水が満たされ、これにサイフォン力をいち早く与えるようにしたものである。【解決手段】水回り器具からの横引き配管と、当該横引き配管を垂下させたサイフォン排水システムにおいて、横引き配管内のサイフォン開始までの正圧時のエアを逃出する機能を付加し、サイフォン開始時間を早めたサイフォン排水システムであり、より言えば、横引き配管内の正圧の際のエアを逃出し、負圧時のエアは逃がさない逆止弁機能を付加したシステムである。１‥水回り器具、２‥横引き配管、４‥立て管、５‥合流部、６‥横引き配管の垂下部、１０‥正圧時のエアを逃出する機能（逆止弁）。【選択図】図２
2006336321.tif 000002
【特許請求の範囲】
【請求項１】
水回り器具からの横引き配管と、当該横引き配管を垂下させたサイフォン排水システムにおいて、横引き配管内のサイフォン開始までの正圧時のエアを逃出する機能を付加し、サイフォン開始時間を早めたことを特徴とするサイフォン排水システム。
【請求項２】
横引き配管内の正圧の際のエアを逃出し、負圧時のエアは逃がさない逆止弁機能を付加した請求項１記載のサイフォン排水システム。
【請求項３】
横引き配管の垂下直前の位置に配管内の正圧時のエアを逃出する機能を付加した請求項１記載のサイフォン排水システム。
【請求項４】
配管内の正圧時のエアを逃出する機能が弁機構である請求項１記載のサイフォン排水システム。
【請求項５】
配管内の正圧時のエアを逃出する機能が袋機構である請求項１記載のサイフォン排水システム。
【発明の詳細な説明】
【技術分野】
【０００１】
本発明はサイフォン式排水システムの改良に関するものである。
【背景技術】
【０００２】
従来の排水システムにあっては、水回り器具から立て管までの横引き配管に所定の勾配を付ける必要があり、床下の高さが比較的高い構造となってしまう。そして、横引き配管の管径も比較的太いものが必要とされ、又、立て管への合流部位は水回り器具と同一の床面に合流継手が配置されるものである。かかる合流継手は比較的大きな継手であり、スペ−ス的にも大きな問題となっており、更には、排水の合流時に発生する騒音の問題も発生している。
【０００３】
このような従来の排水システムに対して、近年になりサイフォン排水システムが開発されている（特許文献１）。かかる排水システムは図１に示すように水回り器具１からの横引き配管２は途中で他の横引き配管と合流することなく床３面に勾配をもたせずに配管するものであり、これを立て管４まで導くものである。立て管４への合流部位は水回り器具１の床３面よりも低い位置例えば一階分低い位置に合流部５を配置し、これに向かって横引き配管２を垂下６させたものである。かかる垂下距離Ｈｓがサイフォン力の原動力となるものであり、横引き配管２内の水を吸引して排水するものである。かかるサイフォン排水システムにおいては、必ず一器具一排水で配管し、配管途中に分岐や合流をすることがなかった。
【０００４】
【特許文献１】特開２０００−２９７４４７号公報
【０００５】
サイフォン排水システムを採用する際、重要なファクタ−として排水処理流量とサイフォン開始時間がある。このうち、排水処理流量を上げるためにはＨｓを大きくするか、管径を太くする手段があり、更には２本配管にする方法があった。しかし、前者の二つはサイフォン開始時間を遅らせる原因となっており、２本配管にあっては、サイフォン開始時間を多少解消することができたが、基本的には処理流量を上げることが目的であり、サイフォン開始時間を早めるようにするためだけに用いるのは過剰スペックであり、コストも作業性も嵩むものであり、処理しなければならない流量が小さいが、サイフォン開始時間だけを早めたい方法はなかった。
【０００６】
サイフォン排水システムにおいて、例えばユニットバスに採用するに際して、サイフォン開始時間が遅い場合、排水量が一時に多量のものであると、排水の開始が遅くなるため、排水が逆流するような現象となり、例えば、浴槽から大量の排水があった場合、サイフォン開始時間が遅いと、洗い場の排水口より逆に排水が噴き上がってしまうという現象があった。
【発明の開示】
【発明が解決しようとする課題】
【０００７】
本発明は、サイフォン排水システムにおいて、サイフォン開始時間を早めるための配管システムを提供するものである。
【課題を解決するための手段】
【０００８】
本発明の要旨は、水回り器具からの横引き配管と、当該横引き配管を垂下させたサイフォン排水システムにおいて、横引き配管内のサイフォン開始までの正圧時のエアを逃出する機能を付加し、サイフォン開始時間を早めた排水システムである。
【発明の効果】
【０００９】
本発明は、サイフォン開始時間を早めるための配管システムであって、正圧の際のエアを逃出し、負圧時のエアは逃がさない機能を付加したことにより横引き配管内に早期の排水が満たされ、これにサイフォン力をいち早く与えるようにしたものであり、これによって排水があふれ出ることがなくなったものである。
【発明を実施するための最良の形態】
【００１０】
サイフォン排水システムにおいて、例えば、横引き配管が長い場合には管内が満水になる時間が長くなり、その後サイフォン力がもたらされるため、一つの水回り器具から大量の排水があった場合、これが適時に排水できない場合がある。この理由は満水になる際には横引き配管の先端側が正圧となり水が先端側に進みにくくなることが挙げられる。本発明はこの正圧をいち早く取り除いて満水とすべき、そしてサイフォン力をいち早く配管内の排水に与える構造としたものである。
【００１１】
サイフォン排水において、配管内の圧力は、サイフォン開始までは正圧となり、サイフォンが開始すると負圧になる。そのため、本発明は正圧の際に配管内のエアが抜けやすい構造にすることで、サイフォン開始時間が早くすることができたものである。ただし、単に通気の管を備えただけでは、サイフォン開始後の負圧になった際に今度はエアを吸い込み、サイフォンが切れるため、間欠サイフォンとなってしまうので、逆止機能となっている必要がある。
【００１２】
具体的には、横引き配管の正圧時のエアを逃出する機能を付加し、サイフォン開始時間を早めたことを特徴とするシステムである。更に言えば、正圧の際のエアは配管内より逃出し、負圧時のエアは逃がさない逆止弁機能を付加したシステムである。
【００１３】
好ましい構成としては、横引き配管の垂下直前の位置に配管内の正圧時のエアを逃出する機能を付加したシステムがよい。そして、配管内の正圧時のエアを逃出する機能の例としては、弁機構であり、或いは袋機構である。
【実施例】
【００１４】
以下、本発明のサイフォン排水システムを図をもって説明する。図２は本発明のシステムの全体図であり、横引き配管２内の正圧時のエアを逃出する機能を付加する逆止弁１０である。この逆止弁１０は、横引き配管２が立て管４に合流するための垂下部の近くに備えたものである。尚、符号１〜６は図１にて説明した通りであり、ここでは省略する
【００１５】
図３は逆止弁１０の機能を示す図であり、サイフォン開始前の状態を示す。逆止弁１０は、サイフォン開始前の配管２内が満水となる際に管２内のエア（正圧）ａを逃すために弁が開けられるものであり、これによって配管２内のエアａが抜け、配管２内の満水が早まりこれによってサイフォン開始時間が早まることとなる。
【００１６】
図４はサイフォン開始後の状態を示す図である。サイフォン開始後は、配管２内は負圧になり、ここにエアが入り込まないように弁が閉まるものであって、エアの入り込みによるサイフォン力の低下を防ぐ機構となっている。
【００１７】
図５は、本発明の第２例である横引き配管２内の正圧時のエアを逃出する機能を付加する不透過袋１１を備えたシステムである。
【産業上の利用可能性】
【００１８】
本発明のシステムは、サイフォン開始前の配管内が満水となる際に管内のエア（正圧）を逃すために弁が開けられるものであり、これによって配管内のエアが抜け、配管内の満水が早まりこれによってサイフォン開始時間が早まり、負圧になった際にはエアが入り込まない構造としたもので、サイフォン排水が間欠とならずスム−ズに排水が可能となったものである。従って、本発明のシステムはサイフォン排水システムの全てに利用できるものとなった。
【図面の簡単な説明】
【００１９】
【図１】図１は従来のサイフォン排水システムを示す概念図である。
【図２】図２は本発明のサイフォン排水システムを示す概念図である。
【図３】図３は本発明の正圧時の逆止弁の機能を示す図である。
【図４】図４は本発明の負圧時の逆止弁の機能を示す図である。
【図５】図５は本発明のサイフォン排水システムの第２を示す概念図である。
【符号の説明】
【００２０】
１‥水回り器具、
２‥横引き配管、
３‥床、
４‥立て管、
５‥合流部、
６‥横引き配管の垂下部、
１０‥正圧時のエアを逃出する機能（逆止弁）、
１１‥正圧時のエアを逃出する不透性袋。
【図１】
2006336321.tif 000003
【図２】
2006336321.tif 000004
【図３】
2006336321.tif 000005
【図４】
2006336321.tif 000006
【図５】
2006336321.tif 000007